(57)【特許請求の範囲】
【請求項１】
厚板状の基部に連通孔と上下連結部が設けられ、基部の表面に複数の凸部が設けられ、裏面が平坦面となされ、側面に水平連結部が設けられ、前記基部は平面視８角形状となされ、その４側面の中央部が窪められて窪部となされこの窪部の中央に環状の鉄筋が設けられて水平連結部となされ、基部の中央には透孔が設けられ連通孔となされ、その連通孔の周囲には水平視小判形の凸部が４カ所設けられると共に各凸部は水平連結部が設けられていない４側面とそれぞれ平行に設けられ、且つ前記４カ所設けられた４個の水平視小判形の凸部はそれぞれ同形同大であって、隅部が途切れた正四角形の四辺を形成すると共に途切れた隅部が水平連結部に相対するようにして基部の表面に配置され、そしてこれらの凸部の外側であって水平連結部が設けられていない前記側面との間にそれぞれ１個の透孔が設けられて上下連結部となされていることを特徴とする護床根固めブロック。
【請求項２】
請求項１記載の護床根固めブロックが一組、裏面の平坦面が互いに当接され、上下連結部によって連結されてなることを特徴とする護床ブロック。
【請求項３】
請求項１記載の護床根固めブロックの裏面の平坦面上に載置されたときに空隙部を形成するようになされた上部ブロックが、請求項１記載の護床根固めブロックの裏面の平坦面上に載置され、この上部ブロック上に井桁状に組み上げられた丸太が取り付けられたことを特徴とする根固めブロック。
【請求項４】
請求項１記載の護床根固めブロックが一組、一方の護床根固めブロックの凸部と他方の護床根固めブロックの裏面の平坦面とが当接され、上下連結部によって連結されてなることを特徴とする根固めブロック。
【発明の詳細な説明】
【０００１】
【発明の属する技術分野】
本発明は、主に河川の河床などに用いられ、流水による河床や護岸法尻部の洗掘を防止し、河床を保護するための護床根固めブロックに関する。
【０００２】
【従来の技術】
従来、護床ブロックとして、河床部を保護するためのコンクリートブロックが提案されている。例えば特開平７−２６８８３７号公報には、底面に交叉した凹溝を形成した板状部体の表面に埋設自然石又は擬石若しくは擬岩模様を突出形成し前記板状部体の対向側面に開口連携部材を固着した河川用根固めブロックが提案されている。又、実開平７−３１９２６号公報には、基礎コンクリートブロックと、その四隅に立てられた支柱と、両端に穴を有する杆体を、該穴に該支柱を通すようにして、上下の杆体の間に間隔をあけて井桁状に何段にも組み上げて形成した枠体と、該枠体の中に詰められた石塊からなる沈床工が提案されている。
【０００３】
【発明が解決しようとする課題】
しかしながら上記の如き特開平７−２６８８３７号公報に提案されている河川用根固めブロックにおいては河川の底面に平面的に配設し、河床を保護するのには好適であるが、川岸に配設し護岸の法尻を根固め保護するには用いにくい。又、実開平７−３１９２６号公報に提案されている沈床工は川岸に配設し河川の護岸の法尻を根固め保護するには好適であるが、河川の底面に平面的に配設し、河床を保護するのには用いにくい。即ち、河川の護床や根固めには多種類のブロックを用意する必要があった。
【０００４】
そこで本発明者は従来の欠点に鑑み鋭意研究の結果、少ない種類のブロックで、護床、根固めに対応することができ、魚類などの水棲生物の繁殖や植物の生育に好適な護床根固めブロックを提案するものである。
【０００５】
【課題を解決するための手段】
本発明請求項１記載の護床根固めブロックは、厚板状の基部に連通孔と上下連結部が設けられ、基部の表面に複数の凸部が設けられ、裏面が平坦面となされ、側面に水平連結部が設けられ、前記基部は平面視８角形状となされ、その４側面の中央部が窪められて窪部となされこの窪部の中央に環状の鉄筋が設けられて水平連結部となされ、基部の中央には透孔が設けられ連通孔となされ、その連通孔の周囲には水平視小判形の凸部が４カ所設けられると共に各凸部は水平連結部が設けられていない４側面とそれぞれ平行に設けられ、且つ前記４カ所設けられた４個の水平視小判形の凸部はそれぞれ同形同大であって、隅部が途切れた正四角形の四辺を形成すると共に途切れた隅部が水平連結部に相対するようにして基部の表面に配置され、そしてこれらの凸部の外側であって水平連結部が設けられていない前記側面との間にそれぞれ１個の透孔が設けられて上下連結部となされているもので、この護床根固めブロックを適宜組み合わせることで、種々の護床ブロックや根固めブロックとして用いられる。
【０００６】
又、本発明請求項２記載の護床ブロックは、前記護床根固めブロックが一組、裏面の平坦面が互いに当接され、上下連結部によって連結されてなるもので、河床に配設されたとき、底面に形成された凸部が河床に食い込み流され難くなされるとともに、上面の凸部が水流に抵抗し、流速を弱め、河床を保護する。又、基部と河床の間に形成される空隙や連通孔の中などに水棲生物が繁殖しやすく、自然環境を損なわない。
【０００７】
又、本発明請求項３記載の根固めブロックは、前記護床根固めブロックの裏面の平坦面上に載置されたときに空隙部を形成するようになされた上部ブロックが、前記護床根固めブロックの裏面の平坦面上に載置され、この上部ブロック上に井桁状に組み上げられた丸太８が取り付けられたもので、この根固めブロックが岸に配設された後、隣り合うブロックの水平連結部が連結金具で連結され、上部の井桁内に自然石が充填されれば、大小様々な形態の空間が形成され護床根固めブロックと上部ブロック間に形成される大きな奥行きのある空隙部と相俟って種々の魚類や水棲生物の棲息に好適である。
【０００８】
又、本発明請求項４記載の根固めブロックは、前記護床根固めブロックが一組、一方の護床根固めブロックの凸部と他方の護床根固めブロックの裏面の平坦面とが当接され、上下連結部によって連結されてなるもので、この根固めブロックが岸に配設された後、ブロックの連通孔や他の空間部に土砂が充填されれば、植生機能に優れ、水生植物の生育が図れる。又、昆虫、小動物、鳥類の棲息空間となり、魚類の産卵場所となる。
【０００９】
【発明の実施の形態】
以下、図面を参照しながら本発明に付いて説明する。
図１は本発明護床根固めブロックの実施形態の一例を示す斜視図である。図に於いて１は基部であり、平面視８角形状となされ、４辺の中央部が窪められて窪部２となされこの窪部２の中央に環状の鉄筋が設けられて水平連結部３となされている。基部１の中央には透孔が設けられ連通孔４となされ、その周囲には水平視小判形の凸部５が４カ所設けられている。又、凸部５の外側には透孔が４ヶ所設けられ上下連結部６となされている。
【００１０】
図２は本発明護床根固めブロックの組み合わせの第１の例を示す組立図である。この例の組み合わせは河床の保護に主として用いられるもので河床保護タイプとなり、護床根固めブロックの凸部５がいずれも外側に向けられている。上下のブロックは上下連結部６にボルト１１が挿通され上下のブロックがこのボルト１１により締結されている。このブロックは図６の如く河床に平面的に配設され、隣り合うブロックの水平連結部３が連結金具で連結されている。この組み合わせのブロックが河床に配設された後ブロックの凸部５を除く部分に自然石９が充填される。この河床保護タイプは上面に形成された４カ所の凸部５により、川水の流速を弱め河床を保護する。又自然石９が充填できるので、魚類などの水棲動物の棲息空間が創出される。又、充填された自然石９により礫間浄化が行われる。
【００１１】
図３は本発明護床根固めブロックの組み合わせの第２の例を示す組立図であり、図５は正面図である。この例の組み合わせは護岸の法尻に主として用いられるもので根固めタイプとなり、護床根固めブロックの凸部５を下にし、裏面の平坦部に上部ブロック７が載置され、この上部ブロック７上に丸太８を井桁状に組み合わせ、上下連結部６に挿通されたボルト１１により連結されている。上部ブロック７は下面の４隅に突部７１が形成され、護床根固めブロック上に載置されたときに空隙部１３が形成されるようになされている。この組み立てられたブロックが護岸の法尻に配設されて根固めブロックとなされる。この根固めブロックが岸に配設された後、隣り合うブロックの水平連結部３が連結金具で連結され、上部の井桁内に自然石９が充填される。この根固めブロックは護岸の法尻の保護を行うとともに、魚巣機能に優れる。又、井桁内に自然石９を充填することにより大小様々な形態の空間が形成され護床根固めブロックと上部ブロック７間に形成される大きな奥行きのある空隙部１３と相俟って種々の魚類や水棲生物の棲息に好適である。
【００１２】
図４は本発明護床根固めブロックの組み合わせの第３の例を示す組立図である。この例の組み合わせは護岸の法尻に主として用いられるもので根固めタイプとなり、護床根固めブロックの凸部５を下方に向けて２段上下に積み上げ、上下連結部６に挿通されたボルト１１により連結されている。この組み立てられたブロックが法尻に配設されて根固めブロックとなされる。この根固めブロックが岸に配設された後、隣り合うブロックの水平連結部３が連結金具で連結され、ブロックの連通孔４や他の空間部に土砂１２が充填され、この土砂１２の表面が繊維マット１０で覆われる。この根固めブロックは護岸の法尻の保護を行うとともに、植生機能に優れる。又、植生マットで土砂１２の表面が覆われることにより、土砂１２の流出が防止され、水生植物の生育が図れる。又、昆虫、小動物、鳥類の棲息空間となり、魚類の産卵場所となる。
【００１３】
図６は本発明による河川の施工の実施形態の一例を示す河川の断面図である。この例に於いて示すように河川の河床には、護床ブロックが好適に用いられ、法尻には根固めブロックが用いられる。この例に示すように３タイプのブロックを形成するのに基本となる護床根固めブロックは１種類でよく、上部ブロック７や丸太８あるいは繊維マット１０を組み合わせることで、河川のあらゆる場所の施工が容易にできる。
【００１４】
本発明に於ける護床根固めブロックや上部ブロック７は、普通コンクリートやポーラスコンクリートなどの適宜材料から作成されればよい。又、ブロック内に充填される自然石９や土砂１２は施工現場付近で採取されたものが、現場の風土に適合するので好適である。
【００１５】
【発明の効果】
上述の如く、本発明請求項１記載の護床根固めブロックは、厚板状の基部に連通孔と上下連結部が設けられ、基部の表面に複数の凸部が設けられ、裏面が平坦面となされ、側面に水平連結部が設けられ、前記基部は平面視８角形状となされ、その４側面の中央部が窪められて窪部となされこの窪部の中央に環状の鉄筋が設けられて水平連結部となされ、基部の中央には透孔が設けられ連通孔となされ、その連通孔の周囲には水平視小判形の凸部が４カ所設けられると共に各凸部は水平連結部が設けられていない４側面とそれぞれ平行に設けられ、且つ前記４カ所設けられた４個の水平視小判形の凸部はそれぞれ同形同大であって、隅部が途切れた正四角形の四辺を形成すると共に途切れた隅部が水平連結部に相対するようにして基部の表面に配置され、そしてこれらの凸部の外側であって水平連結部が設けられていない前記側面との間にそれぞれ１個の透孔が設けられて上下連結部となされているもので、この護床根固めブロックを適宜組み合わせることで、種々の護床ブロックや根固めブロックとして用いられるので、多種類のブロックを用意する必要がないので、管理が煩瑣でなく、施工が容易である。
【００１６】
又、本発明請求項２記載の護床ブロックは、前記護床根固めブロックが一組、裏面の平坦面が互いに当接され、上下連結部によって連結されてなるもので、河床に配設されたとき、底面に形成された凸部が河床に食い込み流され難くなされるとともに、上面の凸部が水流に抵抗し、流速を弱め、河床を保護する又、基部と河床の間に形成される空隙や連通孔の中などに水棲生物が繁殖しやすく、自然環境を損なわない。
【００１７】
又、本発明請求項３記載の根固めブロックは、前記護床根固めブロックの裏面の平坦面上に載置されたときに空隙部を形成するようになされた上部ブロックが、前記護床根固めブロックの裏面の平坦面上に載置され、この上部ブロック上に井桁状に組み上げられた丸太が取り付けられたもので、この根固めブロックが岸に配設された後、隣り合うブロックの水平連結部が連結金具で連結され、上部の井桁内に自然石が充填されれば、大小様々な形態の空間が形成され護床根固めブロックと上部ブロック間に形成される大きな奥行きのある空隙部と相俟って種々の魚類や水棲生物の棲息に好適であり、自然環境を損なわない。
【００１８】
又、本発明請求項４記載の根固めブロックは、前記護床根固めブロックが一組、一方の護床根固めブロックの凸部と他方の護床根固めブロックの裏面の平坦面とが当接され、上下連結部によって連結されてなるもので、この根固めブロックが岸に配設された後、ブロックの連通孔や他の空間部に土砂が充填されれば、植生機能に優れ、水生植物の生育が図れる。又、昆虫、小動物、鳥類の棲息空間となり、魚類の産卵場所となる。即ち、水陸の種々の生物の繁殖に適し、自然環境が損なわれない。
【図面の簡単な説明】
【図１】  本発明護床根固めブロックの実施形態の一例を示す斜視図である。
【図２】  本発明護床根固めブロックの組み合わせの第１の例を示す組立図である。
【図３】  本発明護床根固めブロックの組み合わせの第２の例を示す組立図である。
【図４】  本発明護床根固めブロックの組み合わせの第３の例を示す組立図である。
【図５】  本発明護床根固めブロックの組み合わせの第２の例を示す正面図である。
【図６】  本発明による河川の施工の実施形態の一例を示す河川の断面図である。
【図７】  本発明護床根固めブロックの実施形態の一例を示す（イ）は正面図、（ロ）は平面図である。
【図８】  本発明における上部ブロックの実施形態の一例を示す（イ）は底面図、（ロ）は正面図、（ハ）は平面図である。
【符号の説明】
１    基部
２    窪部
３    水平連結部
４    連通孔
５    凸部
６    上下連結部
７    上部ブロック
７１  突部
８    丸太
９    自然石
１０  繊維マット
１１  ボルト
１２  土砂
１３  空隙部
Ａ    第１の例に於ける護床ブロック
Ｂ    第２の例に於ける根固めブロック
Ｃ    第３の例に於ける根固めブロック
Ｄ    水面
Ｅ    護岸ブロック
Ｆ    法尻部
【図１】
0003910470.tif 000002
【図２】
0003910470.tif 000003
【図３】
0003910470.tif 000004
【図４】
0003910470.tif 000005
【図５】
0003910470.tif 000006
【図６】
0003910470.tif 000007
【図７】
0003910470.tif 000008
【図８】
0003910470.tif 000009